(57)【要約】【課題】商品或いはメーカーに関わる広告を、電子地図の町並み観察モードに掲載することにより、ユーザーが地図を見る際に、必要に応じてその広告情報も容易に得ることができる電子地図の中に広告を掲載するためのシステム及びその方法を提供することである。【解決手段】本発明に係る電子地図の中に広告を掲載するためのシステムは、前記電子地図の地図モードの中で広告を掲載したい地点を選定する地点選定モジュールと、前記電子地図の町並み観察モードのデータをアップロードし、且つ前記選定された地点に関連する町並みを導出するアップロードモジュールと、前記導出された町並みの中で広告エリアを選出する広告エリア選出モジュールと、アップロードした広告情報を読み込んで、前記広告情報を前記選出された広告エリアに掲載する広告掲載モジュールと、前記広告情報の具体的な内容を放送する広告放送モジュールと、を備える。【選択図】図３
2012185802.tif 000002
【特許請求の範囲】
【請求項１】
電子地図の中に広告を掲載するための方法であって、
電子地図の地図モードの中で広告を掲載したい地点を選定するステップと、
前記電子地図の町並み観察モードのデータをアップロードし、且つ前記選定された地点に関連する町並みを導出するステップと、
前記導出された町並み観察モードの中で広告エリアを選出するステップと、
アップロードした広告情報を読み込んで、前記広告情報を前記選出された広告エリアに掲載するステップと、
ユーザーの電子装置が前記電子地図の町並み観察モードに入って、広告情報のある町並みに到達すると、前記広告エリアをクリック／タッチすることにより前記広告情報の具体的な内容を放送するステップと、
を備えることを特徴とする電子地図の中に広告を掲載するための方法。
【請求項２】
前記導出された町並み観察モードの中で広告エリアを選出するステップは、広告放送時間を設定することをさらに備えることを特徴とする請求項１に記載する電子地図の中に広告を掲載するための方法。
【請求項３】
前記広告エリアの種類は、仮想テレビウォール、仮想平面広告区及び建物外輪郭を含むことを特徴とする請求項１に記載する電子地図の中に広告を掲載するための方法。
【請求項４】
前記広告エリアをクリック／タッチすることにより前記広告情報の具体的な内容を放送するステップは、
前記広告エリアの種類が仮想テレビウォールである場合、前記広告情報のマルチメディアの広告を放送し、
前記広告エリアの種類が仮想平面広告区である場合、ダイアログにおいて商品のウェブサイトを表示したり、新しい画面の中で前記商品の平面広告を放送したり、商品のオフィシャルウェブページ或いはネットショッピングのウェブページを表示し、
前記広告エリアの種類が建物外輪郭である場合、新しい画面を開いた後、メーカーのウェブサイトを表示すること、
を備えることを特徴とする請求項３に記載する電子地図の中に広告を掲載するための方法。
【請求項５】
電子地図の中に広告を掲載するためのシステムであって、
前記電子地図の地図モードの中で広告を掲載したい地点を選定する地点選定モジュールと、
前記電子地図の町並み観察モードのデータをアップロードし、且つ前記選定された地点に関連する町並みを導出するアップロードモジュールと、
前記導出された町並みの中で広告エリアを選出する広告エリア選出モジュールと、
アップロードした広告情報を読み込んで、前記広告情報を前記選出された広告エリアに掲載させる広告加えモジュールと、
ユーザーの電子装置が前記電子地図の町並み観察モードに入り、且つ広告情報のある町並みに到達して前記広告エリアをクリック／タッチすると、前記広告情報の具体的な内容を放送する広告放送モジュールと、
を備えることを特徴とする電子地図の中に広告を掲載するためのシステム。
【請求項６】
前記広告エリア選出モジュールは、広告放送時間を設定するためにも用いられることを特徴とする請求項５に記載する電子地図の中に広告を掲載するためのシステム。
【請求項７】
前記広告エリアの種類は、仮想テレビウォール、仮想平面広告区及び建物外輪郭を含むことを特徴とする請求項５に記載する電子地図の中に広告を掲載するためのシステム。
【請求項８】
前記広告放送モジュールは、
前記広告エリアの種類が仮想テレビウォールである場合、前記広告情報のマルチメディアの広告を放送し、
前記広告エリアの種類が仮想平面広告区である場合、ダイアログにおいて商品のウェブサイトを表示したり、新しい画面の中で前記商品の平面広告を放送したり、商品のオフィシャルウェブページ或いはネットショッピングのウェブページを表示し、
前記広告エリアの種類が建物外輪郭である場合、新しい画面を開いた後、メーカーのウェブサイトを表示することを特徴とする請求項７に記載する電子地図の中に広告を掲載するためのシステム。
【発明の詳細な説明】
【技術分野】
【０００１】
本発明は、電子地図の中に広告を掲載するためのシステム及びその方法に関するものである。
【背景技術】
【０００２】
電子地図に関する技術の発展に伴い、現在地図モードや衛星モード等を搭載した様々な電子地図が世に出ている。これらの電子地図は、従来の紙製地図の視野上の制限から脱却して、今いる場所から果ては全世界まであっという間に見渡すことができる。近年、特にグーグル（登録商標）社提供のストリートビューによって、更に、はっきりとその町並みや建物をプレビューすることができる。即ち、ユーザーは、電子地図を利用して方位を確認できるだけでなく、特定した位置の実際の情景までも見ることができるのである。
【０００３】
しかし、現在の町並み観察機能を有する電子地図は、静態の情景モードに限られており、情報の流動性も低いため、逐次最新の情報を得ることができない。またネットワークの拡大及び演算資源の進歩により、前記静態情景モードの限界が顕わになってきた。例えば、ユーザーは静態情景モードの中に映し出された広告に興味がある場合でも、その詳しい内容までは知ることはできない。
【発明の概要】
【発明が解決しようとする課題】
【０００４】
以上の問題点に鑑みて、本発明は、商品或いはメーカーに関わる広告を電子地図の町並み観察モードに掲載することにより、ユーザーが地図を見る際に、必要に応じてその広告情報も容易に得ることができるシステム及びその方法を提供することを目的とする。
【課題を解決するための手段】
【０００５】
上記の課題を解決するために、本発明に係る電子地図の中に広告を掲載するためのシステムは、前記電子地図の地図モードの中で広告を掲載したい地点を選定する地点選定モジュールと、前記電子地図の町並み観察モードのデータをアップロードし、且つ前記選定された地点に関連する町並みを導出するアップロードモジュールと、前記導出された町並みの中で広告エリアを選出する広告エリア選出モジュールと、アップロードした広告情報を読み込んで、前記広告情報を前記選出された広告エリアに掲載させる広告掲載モジュールと、ユーザーの電子装置が前記電子地図の町並み観察モードに入り、且つ広告情報のある町並みに到達して前記広告エリアをクリック／タッチすると、前記広告情報の具体的な内容を放送する広告放送モジュールと、を備える。
【０００６】
また、上記の課題を解決するために、本発明に係る電子地図の中に広告を掲載するための方法は、電子地図の地図モードの中で広告を掲載したい地点を選定するステップと、前記電子地図の町並み観察モードのデータをアップロードし、且つ前記選定された地点に関連する町並みを導出するステップと、前記導出された町並み観察モードの中で広告エリアを選出するステップと、アップロードした広告情報を受け入れて、前記広告情報を前記選出された広告エリアに掲載するステップと、ユーザーの電子装置が前記電子地図の町並み観察モードに入って、広告情報のある町並みに到達する時と、前記広告エリアをクリック／タッチすることにより前記広告情報の具体的な内容を放送するステップと、を備える。
【発明の効果】
【０００７】
従来の技術と比較して、本発明の電子地図の中に広告を掲載するためのシステム及び方法は、電子地図の地図モードの中で地点を選定し、且つ町並み観察モードの中で広告エリアを選出してから、各種の広告を前記町並み観察モードの中に掲載する。これにより、ユーザーが電子地図の町並み観察モードを使用する場合、広告が掲載された町並みに到達すると、前記広告エリアをクリック／タッチすることにより、関連する平面広告、ウェブサイト或いは映像等を見ることができ、さらにオンラインショッピング（ｏｎｌｉｎｅ  ｓｈｏｐｐｉｎｇ）等もできる。
【図面の簡単な説明】
【０００８】
【図１】本発明の実施形態に係る電子地図の中に広告を掲載するためのシステムの運行環境を示す図である。
【図２】図１に示した本発明の実施形態に係る電子地図の中に広告を掲載するためのシステムの機能モジュールを示す図である。
【図３】本発明の実施形態に係る電子地図の中に広告を掲載するための方法のフローチャートである。
【発明を実施するための形態】
【０００９】
図１に示したように、本発明の実施形態に係る電子地図の中に広告を掲載するためのシステム１０は、電子装置１の中で運行される。前記電子装置１は、電子地図２００が搭載されている携帯電話機、パソコン等であることができ、且つデータベース２０、メモリー３０及び処理装置４０を備える。また、前記電子装置１には、表示装置２が内蔵又は外付けされている。変形例として、前記メモリー３０は、前記電子装置１に外付けされる記憶装置であることも可能である。
【００１０】
前記電子地図２００は、地図モード及び町並み観察モードを備える。前記地図モード及び町並み観察モードは、前記データベース２０の中に搭載される。前記表示装置２は、前記電子地図２００を表示するために用いられる。即ち、前記電子地図２００の地図モード、町並み観察モード及び掲載される広告情報は、前記表示装置２によって表示される。
【００１１】
本発明の実施形態において、前記電子地図の中に広告を掲載するためのシステム１０は、ソフトウェアのプログラム或いは指令の形式で前記メモリー３０の中にインストールされた後、前記処理装置４０により実行される。前記電子地図の中に広告を掲載するためのシステム１０及び前記電子地図２００が結合されると、広告は前記電子地図２００の町並み観察モードの中に現れる。例えば、先ず前記電子地図２００の地図モードの中で、広告を掲載したい地点を選定し、次に選定した地点の町並みの中から広告エリアを選出した後、広告業者の広告情報を前記広告エリアに掲載する。またユーザーが前記電子地図２００の町並み観察モードに入り、広告情報が掲載された町並みに到達し、前記広告エリアをクリック／タッチすると、前記広告情報が放送される。広告を掲載するための具体的な方法は、図２及び図３を参照しながら説明する。
【００１２】
図２に示したように、前記電子地図の中に広告を掲載させるためのシステム１０は、地点選定モジュール１００、アップロードモジュール１０２、広告エリア選出モジュール１０４、広告加えモジュール１０６及び広告放送モジュール１０８を備える。
【００１３】
前記地点選定モジュール１００は、前記電子地図２００の地図モードの中で広告を掲載したい地点を選定する。前記アップロードモジュール１０２は、前記データベース２０の中から前記電子地図２００の町並み観察モードのデータをアップロードし、且つ前記選定された地点に関連する町並みを導出する。
【００１４】
前記広告エリア選出モジュール１０４は、前記選定された地点に関する町並みの中から広告エリアを選出する。具体的には、前記広告エリア選出モジュール１０４は、図形ツールバーを利用して、前記選定された地点に関する町並み観察モードの中から図形範囲を一箇所選んで広告エリアとする。前記広告エリアの種類は、仮想テレビウォール、仮想平面広告区及び建物外輪郭等を含む。その中で、仮想テレビウォール及び仮想平面広告区は、どちらも町並み観察モードにおける建物の外観上の広告区（例えば、あるメーカーの衣類を宣伝する広告看板）を指し、また前記建物外輪郭は、メーカーの建物の外観を表す図形框を指す。本発明の実施形態において、前記広告エリア選出モジュール１０４は、広告放送時間を設定するためにも用いられる。
【００１５】
前記広告加えモジュール１０６は、広告業者がアップロードした広告情報を読み込み、前記広告情報を前記選出された広告エリアに掲載する。本発明の実施形態において、前記広告情報は、商品の映像、画像及び広告文字からなる商品平面広告及び商品／メーカーのウェブサイト或いは商品のネットショッピングのウェブページを含む。
【００１６】
ユーザーの電子装置１が前記電子地図２００の町並み観察モードに入り、広告情報のある町並みに到達した後前記広告エリアをクリック／タッチすると、前記広告放送モジュール１０８は、予め設定された広告放送時間に基づいて前記広告情報の具体的な内容を放送する。以下、詳細に述べる。
【００１７】
前記広告エリアの種類が仮想テレビウォールである場合、前記広告エリアをクリック／タッチすることによって、マルチメディアの広告を見ることできる。
【００１８】
また、前記広告エリアの種類が仮想平面広告区である場合、前記広告エリアをクリック／タッチすると、ダイアログにおいて商品のウェブサイトを表示したり、新しい画面が開かれた後、前記商品の平面広告を放送したり、商品のオフィシャルウェブページ或いはネットショッピングのウェブページを表示する。
【００１９】
また、前記広告エリアの種類が建物外輪郭である場合、前記広告エリアをクリック／タッチすることによって、新しい画面の中で開かれたメーカーのウェブサイトを見ることができる。例えば、ユーザーが、百貨店の町並み観察モードでの見掛けをクリック／タッチすると、百貨店のウェブサイトにリンクする。
【００２０】
図３に示したように、本発明の電子地図の中に広告を掲載するための方法は、以下のステップを備える。
【００２１】
ステップＳ１において、前記地点選定モジュール１００は、前記電子地図２００の地図モードの中で広告を掲載したい地点を選定する。      
【００２２】
ステップＳ２において、前記アップロードモジュール１０２は、前記データベース２０の中から前記電子地図２００の町並み観察モードのデータをアップロードし、且つ前記選定された地点に関連する町並みを導出する。
【００２３】
ステップＳ３において、前記広告エリア選出モジュール１０４を介して、導出された前記町並みの中で広告エリアを選出し、且つ広告放送時間を設定する。
【００２４】
ステップＳ４において、前記広告掲載モジュール１０６は、広告業者がアップロードした広告情報を読み込んで、前記広告情報を前記選出された広告エリアに掲載させる。本発明の実施形態において、前記広告情報は、商品の広告映像、画像及び広告文字からなる商品平面広告及び商品／メーカーのウェブサイト或いは商品のネットショッピングのウェブページを含む。
【００２５】
ステップＳ５において、ユーザーの電子装置１が前記電子地図２００の町並み観察モードに入り、広告情報のある町並みに到達した後、前記広告放送モジュール１０８は、ユーザーが前記町並みの中の広告エリアをクリック／タッチしたかどうかを判断する。ユーザーが前記広告エリアをクリック／タッチしたと判断された場合は、そのままステップＳ６に移る。しかし、ユーザーが前記広告エリアをクリック／タッチしていないと判断された場合は、作業はここで終了する。
【００２６】
ステップＳ６において、前記広告放送モジュール１０８は、クリック／タッチされた広告エリアがどの種類であるかを判断する。本発明の実施形態において、前記広告エリアの種類は、仮想テレビウォール、仮想平面広告区及び建物外輪郭等を含む。その中で、仮想テレビウォール及び仮想平面広告区は、どちらも町並み観察モードにおける建物の外観上の広告区（例えば、あるメーカーの衣類を宣伝する広告看板）を指し、前記建物外輪郭は、メーカーの建物の外観を表す図形框指す。
【００２７】
ステップＳ７において、前記広告エリアの種類が仮想テレビウォールである場合、前記広告放送モジュール１０８は、予め設定された広告放送時間に基づいて前記広告情報のマルチメディアの広告を放送する。
【００２８】
ステップＳ８において、前記広告エリアの種類が仮想平面広告区である場合、前記広告放送モジュール１０８は、予め設定された広告放送時間に基づいて、ダイアログにおいて商品のウェブサイトを表示したり、新しい画面が開かれた後に前記商品の平面広告を放送したり、商品のオフィシャルウェブページ或いはネットショッピングのウェブページを表示する。
【００２９】
ステップＳ９において、前記広告エリアの種類が建物外輪郭である場合、前記広告放送モジュール１０８は、予め設定された広告放送時間に基づいて、新しい画面が開かれた後、メーカーのウェブサイトを表示する。例えば、ユーザーが、百貨店の町並み観察モードでの見掛けをクリックすると、百貨店のウェブサイトにリンクする。  
【００３０】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００３１】
１                  電子装置
１０                電子地図の中に広告を掲載するためのシステム
２０                データベース
３０                メモリー
４０                処理装置
１００              地点選定モジュール
１０２              アップロードモジュール
１０４              広告エリア選出モジュール
１０６              広告掲載モジュール
１０８              広告放送モジュール
２００              電子地図
【図１】
2012185802.tif 000003
【図２】
2012185802.tif 000004
【図３】
2012185802.tif 000005